(57)【特許請求の範囲】
【請求項１】
鍵盤を構成する複数の鍵と、
前記鍵の並び方向に配列され、打撃されることで各々固有の音高の楽音を発音する複数の発音部材と、
前記複数の各鍵と前記複数の各発音部材とに対応して配設され、対応する鍵の押鍵操作によって駆動されることで、対応する発音部材を打撃する複数の打撃部とを有し、
前記複数の各発音部材と前記複数の各打撃部との、前記鍵の並び方向における相対的位置は可変に構成され、
前記相対的位置が変化すると、前記各発音部材と前記各打撃部との対応関係が変化することで、押鍵操作によって駆動される打撃部によって打撃される発音部材が、前記相対的位置の変化前とは異なるように構成され、
前記複数の発音部材に対して固定的に且つ近接して配設された共鳴箱を有し、前記複数の発音部材と前記共鳴箱とは、前記鍵の並び方向に一体的に移動するように構成されたことを特徴とする鍵盤式打楽器。
【請求項２】
前記複数の打撃部は、前記複数の鍵と共に前記鍵の並び方向に一体的に移動するように構成されたことを特徴とする請求項１記載の鍵盤式打楽器。
【発明の詳細な説明】
【技術分野】
【０００１】
本発明は、押鍵操作に応じて打撃部によって発音部材が打撃されて発音する鍵盤式打楽器に関する。
【背景技術】
【０００２】
従来、音板等の発音部材と、各発音部材に対応するハンマアクション等の打撃部とを備え、押鍵操作によって、打撃部が対応する発音部材を打撃することで、その発音部材が固有の音高の楽音を発音するように構成された鍵盤式打楽器が知られている（下記特許文献１）。
【０００３】
この鍵盤式打楽器では、発音部材は支持部にピン等で振動可能に固定され、共鳴箱の開口側が発音部材に近接配置される。また、打撃部は、対応する発音部材の下に配置される。そして、このような機構が、上下２段で構成される。
【特許文献１】実開平０５−０８１８９５号公報
【発明の開示】
【発明が解決しようとする課題】
【０００４】
しかしながら、上記特許文献１では、各鍵と各打撃部と各発音部材との１対１の対応関係は固定されており、ある鍵を押鍵操作して対応する打撃部が駆動されたときに、打撃される発音部材は常に同じである。そのため、例えば、移調等はできず、演奏の多様性を持たせる上では改善の余地があった。
【０００５】
本発明は上記従来技術の問題を解決するためになされたものであり、その目的は、アコースティックな発音をする鍵盤式打楽器において移調を可能として、演奏形態に多様性を持たせることができる鍵盤式打楽器を提供することにある。
【課題を解決するための手段】
【０００６】
上記目的を達成するために本発明の請求項１の鍵盤式打楽器は、鍵盤を構成する複数の鍵と、前記鍵の並び方向に配列され、打撃されることで各々固有の音高の楽音を発音する複数の発音部材と、前記複数の各鍵と前記複数の各発音部材とに対応して配設され、対応する鍵の押鍵操作によって駆動されることで、対応する発音部材を打撃する複数の打撃部（２０）とを有し、前記複数の各発音部材と前記複数の各打撃部との、前記鍵の並び方向における相対的位置は可変に構成され、前記相対的位置が変化すると、前記各発音部材と前記各打撃部との対応関係が変化することで、押鍵操作によって駆動される打撃部によって打撃される発音部材が、前記相対的位置の変化前とは異なるように構成され、前記複数の発音部材に対して固定的に且つ近接して配設された共鳴箱を有し、前記複数の発音部材と前記共鳴箱とは、前記鍵の並び方向に一体的に移動するように構成されたことを特徴とする。
【０００７】
好ましくは、前記複数の打撃部は、前記複数の鍵と共に前記鍵の並び方向に一体的に移動するように構成されたことを特徴とする（請求項２）。
【０００９】
なお、上記括弧内の符号は例示である。
【発明の効果】
【００１０】
本発明の請求項１によれば、アコースティックな発音をする鍵盤式打楽器において移調を可能として、演奏形態に多様性を持たせることができる。また、各発音部材の良好な音響を維持しつつ移調を可能にすることができる。
【００１１】
請求項２によれば、例えば、グランドピアノのシフト変更機構を応用でき、簡単な構成で移調を可能にすることができる。
【発明を実施するための最良の形態】
【００１３】
以下、本発明の実施の形態を図面を参照して説明する。
【００１４】
（第１の実施の形態）
図１は、本発明の第１の実施の形態に係る鍵盤式打楽器として構成される鍵盤楽器の左側面図である。概略を述べると、この鍵盤楽器１０は、外観上は、アップライトピアノのようであるが、弦を備えない。その代わり、鍵盤楽器１０の上半部１０ａ内にチェレスタの音板と同様の音板を備え、該音板を打撃、振動させて発音させるものであり、音板が発音した音を共鳴させる共鳴箱も備える。また、音板を打撃するための機構として、アップライトピアノではなくグランドピアノ用のアクション機構と同様の機構を備える。
【００１５】
以降、鍵盤楽器１０の奏者側を前方と称し、左右方向は奏者を基準として呼称する。鍵盤楽器１０の下部には、ペダルボックス１１が設けられ、ペダルボックス１１から前方にダンパペダル１２が延設されている。
【００１６】
ところで、本鍵盤楽器１０は、チェレスタに類似したものであるが、チェレスタにおいては、一般に、発音体として平板の音板が用いられる。本実施の形態で用いられる発音体である音板３０（図５で後述）は、厚みがあり、平板というよりも棒状に近いため、「音板」という表現は適当でないかもしれない。しかし、チェレスタでは「音板」なる語が慣用されているので、本鍵盤楽器１０において用いた発音体を「音板３０」と呼称することとする。また、詳細は後述するが、本実施の形態では、共鳴室の形状を工夫し、各共鳴室の幅を適切に確保しつつも、音板群及び共鳴箱の１段構成を実現したものである。
【００１７】
図２は、鍵盤楽器１０の上半部１０ａの内部構成を示す右断面図、図３は、同上半部１０ａの内部構成を示す正面図、図４は、同上半部１０ａの内部構成を示す平面図である。
【００１８】
図２に示すように、上半部１０ａの下部の棚板１４の上には筬１５が配置され、筬１５の前部に筬前１６が設けられる。筬１５には、支持部材１９が設けられ、支持部材１９に設けられたバランスピン６２、６３を支点として、鍵盤ＫＢの複数の白鍵２７及び黒鍵２８が上下方向に揺動（シーソー運動）自在に支持される。筬前１６の前部を口棒部１７が全鍵幅に亘って覆っている（図４も参照）。図３では、口棒部１７の図示が省略されている。
【００１９】
また、筬１５の後半部上部には、アクションブラケット２２を介してアクション機構２０が配設される。アクションブラケット２２及びアクション機構２０は、各鍵２７、２８に対応して配列され、アクション機構２０は、グランドピアノのアクション機構と同様の構成を有する。さらに、これらアクション機構２０の上方には、木製の共鳴箱５０及び複数の音板３０（音板群３０Ｇ）を備えてなる音源ユニットＵＮＴが配設される。音板３０は、各鍵２７、２８に対応して設けられる。対応する鍵２７、２８の押鍵操作によってハンマ体２３が上方に回動し、対応する音板３０をハンマフェルト２４が打撃することで、その音板３０が振動して発音し、その音が共鳴箱５０で共鳴する。アクション機構２０の下方において、棚板１４には、放音用穴１４ａが設けられている。
【００２０】
また、各鍵２７、２８の後端上方には、回動部材６４が各鍵２７、２８に対応して設けられ、各回動部材６４には、ダンパワイヤ２５（図３も参照）を介してダンパフェルト２６が設けられている。ダンパペダル１２が踏まれていない状態では、ダンパフェルト２６は、対応する音板３０の後端部上面に当接している。押鍵されると、対応するダンパワイヤ２５を介してダンパフェルト２６が音板３０から離間する。一方、ダンパペダル１２には、ペダル連結棒１３が連結されている。ダンパペダル１２を踏むと、ペダル連結棒１３、全ダンパワイヤ２５を介して全ダンパフェルト２６が持ち上がる。
【００２１】
図３、図４に示すように、鍵盤楽器１０の左右両側部を構成する側板１８Ｌ、１８Ｒの内側には、支持部２９Ｌ、２９Ｒが固定されている。音源ユニットＵＮＴは、後述するように、共鳴箱５０に音板群３０Ｇが振動自在に装着されて一体的に構成され、取り付け及び取り外し時に一体として扱えるようになっている。共鳴箱５０の左右両端部が支持部２９Ｌ、２９Ｒの上に不図示のネジで螺合固定されることで、音源ユニットＵＮＴが上半部１０ａ内に収容されている。
【００２２】
次に、音源ユニットＵＮＴの構成を説明する。図５（ａ）は、１つの音板３０の平面図、図５（ｂ）は同音板３０の右側面図である。図６は、音源ユニットＵＮＴの正面図、図７は、図６のＡ−Ａ線に沿う断面図、図８は音源ユニットＵＮＴの底面図である。
【００２３】
まず、音板群３０Ｇを説明する。音板群３０Ｇは、鍵数分の音板３０からなり、各音板３０は、ハンマフェルト２４によって打撃されて振動して、各々固有の音高で発音する。各音板３０は、その全長等の形状が個々に異なっていることで（図７、図８、図９（ｃ）〜（ｅ）参照）、固有の音高を発音するようになっている。音板群３０Ｇは、隣接する固有の音高を有するもの同士が隣接して位置するように鍵並び方向に音高順に配列されて、１段に構成されている（図３、図６〜図８参照）。ところで、上記アクション機構２０も、対応する音板３０の配列に対応して鍵並び方向に配列されて、１段に構成されている。図５（ａ）、（ｂ）では、低音域部５０Ａ（後述）に属する音板３０を示す。
【００２４】
図５（ａ）、（ｂ）に示すように、音板３０には、その長手方向中央部よりも前端部、後端部近傍寄りの、振動における節となる位置に支持穴３６、３７が形成されている。支持穴３６、３７は、連結ひも４４（図３、図６、図８参照）を通すための貫通穴である。音板３０は、固有の音高が低いものの方が左側に配置され、しかも全長が長いため、支持穴３６、３７の間隔もそれに応じて長い。従って、各音板３０の支持穴３６／支持穴３７は、幅方向に略沿っているが、厳密には、隣接する音板３０の支持穴３６、３７とほぼ同軸となるように、左側にいくにつれて前側／後側にそれぞれ傾斜している（図５（ａ）参照）。
【００２５】
支持穴３６、３７は、振動における節となる位置に設けられており、音板３０は、支持穴３６、３７を支持して振動させたとき、効率よく発音する。また、長手方向中央部が振動における腹に相当する部分（以下、単に「腹部３１」と称する）となり、腹部３１の中央が、振動時の腹の中心に相当する位置（以下、「腹中心３１Ｐ」と称する）である。音板３０の下面は平坦である。音板３０の前端部、後端部は、上側に突出することで厚く形成され、質量が集中している第１質量集中部３２、第２質量集中部３３となっている。第１、第２質量集中部３２、３３を設けたことで、特に低音側の音板３０において全長を短縮することができる。
【００２６】
上下方向（板厚方向）において、音板３０の腹部３１は、上側に凸となっているが、第１、第２質量集中部３２、３３より薄い。また、腹部３１と第１質量集中部３２との間、及び腹部３１と第２質量集中部３３との間は、腹部３１よりも薄い第１肉薄部３４、第２肉薄部３５となっている。
【００２７】
音源ユニットＵＮＴの共鳴箱５０は、低音側から順に、低音域部５０Ａ、中音域部５０Ｂ、高音域部５０Ｃで構成される（図６参照）。音板３０の左右方向の幅は、全長に亘って一様であるが、同じ音域部に対応するもの同士は同じ幅である。すなわち、低音域部５０Ａに対応する音板３０が最も幅広で、高音域部５０Ｃに対応する音板３０が最も幅狭である。
【００２８】
音板３０は、アルミニウム、アルミニウム合金、鋼等の単一材料で一体に形成されている。製造方法としては、例えば、単一材料でなる断面矩形の長尺部材（図５（ｂ）に示す加工前部材３８）を、一方向（図５（ｂ）でいえば上側）から加工することで形成することができる。すなわち、支持穴３６よりも前端部寄りの位置から支持穴３７よりも後端部寄りの位置まで、一方向から切削及び／又は研削加工により除去することで、上記した腹部３１、第１、第２質量集中部３２、３３及び第１、第２肉薄部３４、３５が形成されるように加工する。
【００２９】
図９（ａ）は、音板群３０Ｇを一括して保持するための１つの留め具４０の側面図である。同図（ｂ）は、同留め具４０の部分拡大図、同図（ｃ）は、高音域部５０Ｃに対応する音板３０及び留め具４０の側面図、同図（ｄ）は、中音域部５０Ｂに対応する音板３０及び留め具４０の側面図、同図（ｅ）は、低音域部５０Ａに対応する音板３０及び留め具４０の側面図である。
【００３０】
チェレスタにおいては一般に、もともと高音側ほど音板の長さが短くて済む。従って、中音域部５０Ｂ、高音域部５０Ｃに属する音板３０は、低音域部５０Ａに属する音板３０に比し、第１、第２質量集中部３２、３３に相当する部分の厚みが薄くて済む（図９（ｃ）、（ｄ）参照）。また、高音域部５０Ｃに属する音板３０は、第１、第２肉薄部３４、３５に相当するものが設けられていない（図９（ｃ）参照）。
【００３１】
図９（ａ）に示すように、留め具４０は金属等で構成され、連結ひも４４に係止されるための係止溝４２と、共鳴箱５０に対して打ち込まれるピン部４１とを有する。係止溝４２の幅は、連結ひも４４よりやや小さく、係止溝４２の奥側のひも受け部４３は、その断面形状が、連結ひも４４の直径とほぼ同じ内径を有する欠円となっている（図９（ｂ）参照）。これにより、連結ひも４４を係止溝４２の開口側から係止溝４２に通し、受け部４３に簡単に係合させることができる一方、演奏時において、連結ひも４４が、受け部４３から容易には離脱しないようになっている。ここで、すべての留め具４０は、左右等の区別もなく同一構成であり、部品種類が多くならないようになっている。
【００３２】
共鳴箱５０に対して音板群３０Ｇを組み付けるに際し、まず、音板群３０Ｇを、１本の連結ひも４４で一括にまとめる。例えば、音板群３０Ｇを音高順に並べて載置し、最も低音側の音板３０の左方に連結ひも４４の両端部が位置するように、各支持穴３６、３７に連結ひも４４を貫通させていく（図８でいえば、同図左下から連結ひも４４を反時計回りに一周させる）。
【００３３】
すなわち、最も低音側の音板３０から音高順に、それらの前側の支持穴３６に連結ひも４４を順次貫通させていく。そして、最も高音側の音板３０の前側の支持穴３６を連結ひも４４が貫通したら、今度は、最も高音側の音板３０から音高順に、それらの後側の支持穴３７に連結ひも４４を順次貫通させていく。最後に、最も低音側の音板３０の左端位置で連結ひも４４の両端部を結ぶ。なお、結ぶ位置はどこでもよく、また、連結ひも４４は２本以上で構成し、途中で結ぶことで１本としてもよい。
【００３４】
共鳴箱５０は、図７、図８に示すように、それぞれ鍵並び方向のほぼ全長に亘る木製の前側共通壁５１、後側共通壁５２を有する。前側共通壁５１と後側共通壁５２との間隔は、低音域側にいくにつれて開いており、左方からみて「ハ」の字を呈している。共鳴箱５０の前側共通壁５１、後側共通壁５２の各下面には、留め具４０のピン部４１が嵌入しやすいような不図示の位置決め穴が予め穿設されている。この位置決め穴は、各音板３０が適切な位置に配置されるように設定されている。
【００３５】
連結ひも４４でひとまとめにされた音板群３０Ｇを、共鳴箱５０に対して装着するには、まず、共鳴箱５０を逆さまに載置する等して、共鳴箱５０の前側共通壁５１、後側共通壁５２の上記各位置決め穴に、留め具４０のピン部４１を仮挿入してからハンマ等の工具で打ち込んでいく。この作業をすべての留め具４０について行う。そして、共鳴箱５０の前側共通壁５１、後側共通壁５２の各下面に、ひとまとめにされた音板群３０Ｇを載置し、各音板３０間において留め具４０の受け部４３に連結ひも４４を係合させる。その後、共鳴箱５０の天地を正せば、図３、図６に示すように、音板群３０Ｇが、留め具４０を介して連結ひも４４によって共鳴箱５０に吊り下げ状態で保持されたことになる。これにより、共鳴箱５０及び全音板３０がユニット化された音源ユニットＵＮＴが構成される。
【００３６】
音源ユニットＵＮＴにおいては、各音板３０の腹部３１は、共鳴箱５０の共鳴室ＲＭ（後述する）の開口側（下側）に近接して、独立して振動可能な状態となる。隣接配置される音板３０間の取り付け時の間隔は、留め具４０の厚みで仮決めされるので、留め具４０のピン部４１の位置を上記位置決め穴に合わせることが容易で、作業が簡単である。なお、図８に示すように、音板群３０Ｇは、鍵並び方向の途中で２つの群に分かれているので、左右両群において、それぞれ少なくとも前後一対の位置決め穴を設けることで、留め具４０の厚みによって各音板３０の取り付け時の間隔が自動的に規定されるようにしてもよい。なお、位置決め穴を予め設けることは必須ではない。
【００３７】
図６に示すように、共鳴箱５０は、その低音域部５０Ａ、中音域部５０Ｂ、高音域部５０Ｃ間で、互いにタイプが異なっている。共鳴箱５０の低音域部５０Ａは、ヘルムホルツ型であり、各音板３０に対応して音板３０と同数の共鳴室ＲＭ１を有する。中音域部５０Ｂは、閉管型であり、各音板３０に対応して音板３０と同数の共鳴室ＲＭ２を有する。また、高音域部５０Ｃは、一括式共鳴箱であり、複数の音板３０に共通の１つの共鳴室ＲＭ３を有する。
【００３８】
図７に示すように、共鳴箱５０において、前側共通壁５１と後側共通壁５２との間は、長さの異なる複数の仕切板５３で接続されている。仕切板５３は、前後方向及び上下方向に沿って互いに平行な平板であり、図６に示すように、下側の開口部から上端部に亘って設けられる。仕切板５３は、その前部、後部がそれぞれ前側共通壁５１、後側共通壁５２に接着等で固定されている。
【００３９】
図７に示すように、いずれの音域部においても、鍵並び方向において、隣接する仕切板５３間に音板３０の２つが対応するようになっている。また、隣接する仕切板５３同士の間隔は、対応する音板３０の２つ分の幅よりやや大きい。さらに、低音域部５０Ａ、中音域部５０Ｂにおいては、隣接する仕切板５３間が斜め板５４、５５で接続されている。隣接する仕切板５３間において、斜め板５４によって２つの共鳴室ＲＭ１が、斜め板５５によって２つの共鳴室ＲＭ２が、それぞれ形成される。
【００４０】
図６に示すように、低音域部５０Ａの仕切板５３の上端には、低音域部５０Ａに共通の１つの蓋部材５６が固着されて、すべての共鳴室ＲＭ１の上部が一括して閉塞されている。また、中音域部５０Ｂにおいては、仕切板５３の上端に、２つの共鳴室ＲＭ２に１つずつの蓋部材５７がそれぞれ固着されて、各共鳴室ＲＭ２の上部が閉塞されている。さらに、高音域部５０Ｃの仕切板５３の上端には、高音域部５０Ｃに共通の１つの蓋部材５８が固着されて、共鳴室ＲＭ３の上部が閉塞されている。
【００４１】
斜め板５４、５５は、いずれも、上下方向に沿った平板であり、各斜め板５４同士は互いに平行、斜め板５５同士も互いに平行である。斜め板５４、５５の構成及び機能は基本的に同じなので、中音域部５０Ｂの斜め板５５及び共鳴室ＲＭ２の構成について主に説明する。
【００４２】
図１０は、図７に示す音源ユニットＵＮＴの中音域部５０Ｂの部分拡大図である。ここでは、２つの共鳴室ＲＭ２を代表して説明するので、該共鳴室ＲＭ２及びそれに対応している仕切板５３、音板３０については、それぞれカッコ「（１）、（２）」を付して区別する。２つの仕切板５３（１）、５３（２）間を接続する斜め板５５は、仕切板５３（１）の前後方向中央より後部と、仕切板５３（２）の前後方向中央より前部とに接着等で固定されている。
【００４３】
一方、音源ユニットＵＮＴにおいて、ハンマフェルト２４（図２参照）の前後及び左右方向の中心位置は、対応する音板３０の腹中心３１Ｐ（図５（ａ）、（ｂ）参照）に一致している。また、すべての音板３０の腹中心３１Ｐは、前後方向の位置が同じであり、平面視においてすべての腹中心３１Ｐを図１０に示す仮想の直線Ｌ１が通る。また、直線Ｌ１は、平面視において、すべての共鳴室ＲＭ１〜ＲＭ３の領域をも通っている。
【００４４】
図１０に示すように、仕切板５３（１）、５３（２）間に音板３０（１）、３０（２）が配置されている。仕切板５３（１）、５３（２）間の空間のうち、斜め板５５より前方部分が共鳴室ＲＭ２（１）、後方部分が共鳴室ＲＭ２（２）である。そして、平面視において、音板３０（１）の腹中心３１Ｐは共鳴室ＲＭ２（１）に含まれ、音板３０（２）の腹中心３１Ｐは共鳴室ＲＭ２（２）に含まれている。従って、音板３０（１）、３０（２）の音は、それぞれ１対１に対応している共鳴室ＲＭ２（１）、ＲＭ２（２）で共鳴する。このように、平面視において、すべての音板３０の腹中心３１Ｐが、対応する共鳴室ＲＭ内に位置している。
【００４５】
一般に、共鳴箱の共鳴室は、幅があまりに狭いと良好な共鳴機能を果たせない。しかし、本実施の形態では、共鳴室ＲＭ２（１）、ＲＭ２（２）は、鍵並び方向の十分な幅が確保されており、良好な共鳴が実現される。しかも、鍵並び方向における同じ幅の中に、鍵２７、２８と同じ数の音板３０が配列され、共鳴室ＲＭ２を２個確保するために音板３０の２枚分の幅しか必要としない。これにより、一般的な構成の鍵盤ＫＢに対して、アクション機構２０、音板３０を従来のように２段に分ける必要がなく、１段構成が実現されている。
【００４６】
低音域部５０Ａにおいては、中音域部５０Ｂに比し音板３０の幅が異なることに起因して、斜め板５４の角度、長さが斜め板５５とは異なっているが（図７参照）、基本的構成は同様である。また、図６、図７に示すように、低音域部５０Ａにおいては、各共鳴室ＲＭ１の下部に、ポート形成部材６０が設けられている。各共鳴室ＲＭ１（左端部のものを除く）の開口部には、２つの仕切板５３と斜め板５４とポート形成部材６０とによってポートが形成される。一般に、ヘルムホルツ型の共鳴箱においては、箱の容量だけでなく、ポートの長さ及び断面積が、共鳴する音高に影響する。例えば、同じ容量の箱であっても、ポートの長さを長くするかあるいは断面積を狭くすると、共鳴する音高が低くなる。本実施の形態においても、ポート形成部材６０の形状を適切に設定することで、各共鳴室ＲＭ１のポートの長さ及び断面積を調節して、対応する音板３０の音高の音が良好に共鳴するように構成している。
【００４７】
本実施の形態によれば、低音域部５０Ａに属する音板３０は、支持穴３６、３７よりも両端部寄りに第１、第２質量集中部３２、３３が設けられ、腹部３１と第１質量集中部３２との間、及び腹部３１と第２質量集中部３３との間に第１、第２肉薄部３４、３５が設けられて、単一材料で一体に形成されている（図５（ａ）、（ｂ）参照）。これにより、音板３０の全長短縮及び幅狭小化を容易化して設計の自由度を高くすることができる。従って、広い音域をカバーしつつも、楽器自体の小型化にも寄与する。特に、一般に、低音用の音板は長大化する傾向にあるので、図５（ａ）、（ｂ）に示す音板３０は、低音用に好適である。
【００４８】
また、単一材料でなる断面矩形の長尺部材である加工前部材３８を、板厚方向一側のみの切削等により一方向から除去することで、音板３０を容易に製造することができる。従って、製造が容易であると共に、異なる音高の複数の音板３０間で幅を共通化することが容易である。音源ユニットＵＮＴにおいては３種類にすることが可能となっている。
【００４９】
本実施の形態によればまた、複数の音板３０が、共鳴箱５０の対応する共鳴室の開口側に近接して振動可能に共鳴箱５０に取り付けられることで、共鳴箱５０及び複数の音板３０がユニット化されているので、共鳴箱５０と音板３０との位置関係を適切に保持したまま音源ユニットＵＮＴ単位での交換を容易にすることができる。これにより、例えば、音板または共鳴箱の構成が異なる音源ユニットに交換することで、アコースティックな音板打楽器でありながら、音色変更を容易にすることができる。また、音源ユニットＵＮＴが交換容易であるので、音板群３０Ｇまたは共鳴箱５０のメンテナンス作業も容易である。
【００５０】
また、連結ひも４４によって、複数の音板３０を振動可能に共通に保持し、連結ひも４４を複数の留め具４０によって共鳴箱５０に取り付けた。特に、音板３０の振動における節となる位置が板厚方向に厚くなったことで、上記支持穴３６、３７が、上下方向ではなく鍵並び方向にほぼ沿った方向に設けることが可能となったものである。支持穴３６、３
７が、鍵並び方向に沿っていることから、上述したように、音板群３０Ｇを、連結ひも４４によって共鳴箱５０に吊り下げ状態で一括支持することが可能となった。これにより、音板群３０Ｇをまとめて取り扱えると共に、共鳴箱５０に対してまとめて着脱できるようにして、音板３０の取り付け作業及び交換作業を容易にすることができる。しかも、支持穴３６、３７は、音板３０の節点位置に開けられているので、良好な発音が妨げられることがない。
【００５１】
また、隣接配置される音板３０間の取り付け時の間隔が留め具４０で仮決めされるようにしたので、音板３０の取り付け作業及び交換作業を一層容易にすることができる。
【００５２】
なお、支持穴３６、３７は必ずしも貫通穴でなくてもよく、連結ひも４４のようなひも状部材で複数音板を一括支持することができればよい。従って、例えば、音板３０の下面側が開口している断面一部欠円の溝であってもよい。また、複数の音板３０をひとまとめにするという観点からは、連結ひも４４のようなひもに限定されるものではない。また、全音板３０をひとまとめにすることは必須でなく、音板群３０Ｇを２以上の組に分けてまとめてもよい。
【００５３】
本実施の形態によればまた、低音域部５０Ａ、中音域部５０Ｂにおいては、共鳴室ＲＭ１、ＲＭ２の鍵並び方向の幅が、対応する音板３０の２つ分の幅以上確保されているので、良好な共鳴を実現することができる。しかも、各共鳴室ＲＭ１、ＲＭ２は、正面視においてオーバーラップするように画成されているので、適切な幅を維持しつつも、共鳴箱５０の鍵並び方向の長さを短く構成することが容易となる。その結果、１つの楽器に対して、音板群Ｇ及び共鳴箱５０の１段構成を実現することができる。
【００５４】
また、仮想の直線Ｌ１がすべての共鳴室ＲＭ１〜ＲＭ３を通り、すべての音板３０の腹中心３１Ｐ（図５（ａ）、（ｂ）参照）の前後方向の位置を同一としているので、すべての音板３０間で、操作感を統一することができる。さらに、音板３０の長手方向において、音板群Ｇのコンパクト化を図ることができる。
【００５５】
また、共鳴室ＲＭ１、ＲＭ２は、前側共通壁５１及び後側共通壁５２を接続する平行な複数の仕切板５３と、隣接する仕切板５３間を接続する斜め板５４、５５とで画成されたので、簡単な構成で共鳴室を画成することができる。特に、複数の仕切板５３が互いに平行であるので、製造が容易である。
【００５６】
本実施の形態によればまた、上記のように、１つの楽器に対して、音板群Ｇ及び共鳴箱５０の１段構成を実現できたことから、従来の上下２段構成に比し、下側の打撃部群に押鍵操作を伝達するための長い連結棒が不要であり、構成が簡単で軽量化が容易である。また、音板３０の位置が、白鍵２７に対応するものと黒鍵２８に対応するものとで上下方向において同一位置となるため、両者間の音響バランスをとることが容易である。しかも、上下２段構成の場合のように、音板３０からの放音が、下側の音板群、打撃部群及び共鳴箱によって遮られることがない。よって、楽器としての構成を簡単にして軽量化を図ると共に、鍵の操作感の統一化を容易にし、且つバランスのよい音響で効率のよい放音を実現することができる。しかも、アクション機構２０の下方において、棚板１４に放音用穴１４ａが設けられたので、音板３０から外部に直接放音可能にして、放音効率を高めることができる。
【００５７】
（第２の実施の形態）
本発明の第２の実施の形態では、第１の実施の形態に比し、音源ユニットＵＮＴの共鳴箱５０の構成が異なり、その他は同様である。図１１は、本実施の形態の鍵盤式打楽器における共鳴箱の中音域部の部分拡大図であり、図１０に対応している。
【００５８】
上記第１の実施の形態では、低音域部５０Ａ、中音域部５０Ｂにおいて、前側共通壁５１と後側共通壁５２とに、複数の仕切板５３の両端が接続されていたが、第２の実施の形態では、図１１に示すように、仕切板５３の半分程度の長さの複数の仕切板６５の一端が、前側共通壁５１または後側共通壁５２の一方に接続される。仕切板６５の、長さ以外の構成は仕切板５３と同じである。
【００５９】
また、第１の実施の形態では、隣接する仕切板５３間が斜め板５４、５５で接続されていたが、第２の実施の形態では、図１１に示すように、低音域部５０Ａ、中音域部５０Ｂにおいては、近接している仕切板６５の他端（前側共通壁５１または後側共通壁５２に接続されていない側の端部）同士が、斜め板６６で接続されている。従って、隣接する２つの仕切板６５とこれら２つの仕切板６５の他端に接続された２つの斜め板６６とによって、１つの共鳴室ＲＭ４が形成される。
【００６０】
図１１に示す共鳴箱５０においても、すべての音板３０の腹中心３１Ｐ（図５（ａ）、（ｂ）参照）は、前後方向の位置が同じであり、平面視において、すべての腹中心３１Ｐを通る仮想の直線Ｌ１が、すべての共鳴室ＲＭ４の領域をも通っている。また、低音域部５０Ａ、中音域部５０Ｂにおいて、共鳴室ＲＭ４は正面視において隣の共鳴室ＲＭ４とオーバーラップし、且つ、各共鳴室ＲＭ４の鍵並び方向の幅は、対応する音板３０の２つ分の幅以上確保されている。
【００６１】
本実施の形態によれば、第１の実施の形態と同様の効果を奏することができる。また、各共鳴室ＲＭ４の鍵並び方向の中央に、対応する音板３０の腹中心３１Ｐが位置するので、良好な共鳴の実現において、第１の実施の形態よりも有利となっている。
【００６２】
なお、低音域部５０Ａ、中音域部５０Ｂにおいて、共鳴室の適切な幅を確保して良好な共鳴を実現すると共に、１つの楽器に対して音板群と共に共鳴箱の１段構成を実現することに限って言えば、次のような条件を満たせばよい。すなわち、複数の各共鳴室は、正面視において他の共鳴室とオーバーラップしており、且つ、音板の並び方向における各共鳴室の最大幅が、対応する音板２つ分の幅以上であればよい。なお、共鳴箱５０のいずれの部分も、その材質は木製に限らない。そのためには、前側共通壁５１、後側共通壁５２間に配設される仕切板及び斜め板は、複数分の共鳴室が構成されるように樹脂等で一体に構成してもよく、さらには、前側共通壁５１及び後側共通壁５２と共に仕切板及び斜め板を一体に網目状に構成し、１つの網目が１つの共鳴室となるように構成してもよい。
【００６３】
また、第１、第２の実施の形態に比し効果の点では劣るが、共鳴箱について、次に示す変形例を採用可能である。図１２（ａ）〜（ｄ）は、共鳴箱の変形例を示す部分断面図である。
【００６４】
例えば、図１２（ａ）に示すように、前側共通壁５１、後側共通壁５２間に、斜めの仕切板７１を、その角度が互い違いとなるように配設し、隣接する仕切板７１間に１つの共鳴室が形成されるように構成してもよい。
【００６５】
また、同図（ｂ）、（ｃ）に示すように、前側共通壁５１、後側共通壁５２間に、鍵並び方向に沿った板部材７３を配設し、板部材７３と前側共通壁５１間、板部材７３と後側共通壁５２間を、それぞれ複数の仕切板７２で接続することで、前後２段に共鳴室が形成されるように構成してもよい。
【００６６】
または、同図（ｄ）に示すように、板部材７３を、前側共通壁５１、後側共通壁５２間に２枚配設し、２枚の板部材７３間、前側の板部材７３と前側共通壁５１間、後側の板部材７３と後側共通壁５２間を、それぞれ複数の仕切板７２で接続することで、前後３段に共鳴室が形成されるように構成してもよい。なお、前後方向の段数は２、３段に限定されない。
【００６７】
ちなみに、図１２（ａ）に示す変形例においては、複数の仕切板７１が互いに平行でないので、製造容易性の点で不利である。また、図１２（ｂ）〜（ｄ）に示す変形例においては、音板３０の腹中心３１Ｐの前後方向の位置を統一できない点で不利である。
【００６８】
（第３の実施の形態）
本発明の第３の実施の形態では、音源ユニットに対して、鍵盤ＫＢ及びアクション機構２０の鍵並び方向の位置を可変に構成される。従って、音源ユニットＵＮＴの構成はもとより、鍵盤ＫＢ及びアクション機構２０の可動機構以外の構成は、第１の実施の形態と同様である。
【００６９】
図１３は、本実施の形態に係る鍵盤式打楽器として構成される鍵盤楽器の内部構成を示す正面図であり、主に右半部を示している。本鍵盤楽器１００では、棚板１４の上には筬部１１５が配置され、筬部１１５上に、鍵盤ＫＢ及びアクション機構２０からなる鍵盤アクションユニットＫＡＣＴが配設される。そして、筬部１１５は、グランドピアノにおいてシフトペダルの操作によって左右（鍵並び方向）に移動するのと同様に、棚板１４に対して左右に移動自在に構成されている。ただし、その移動量は、移調が可能な程度（例えば、５度分）に設定されている。
【００７０】
鍵盤楽器１００の下部には、ダンパペダル１２とは別に、移調用ペダル８１が設けられ、移調用ペダル８１には連結棒８２が連結される。また、Ｌ字リンク８４が、鍵盤楽器１００本体に設けられた回動軸８５を中心に時計方向に回動自在に設けられる。連結棒８２には、Ｌ字リンク８４の一端が、回動軸８３を中心に回動自在に連結されている。また、筬部１１５を左右方向に駆動するための押圧部材８６が筬部１１５の右側部近傍に設けられる。筬部１１５は、側板１８Ｒに設けられた不図示のバネ等の付勢部材によって、常に左方に付勢されており、Ｌ字リンク８４の他端が、押圧部材８６に当接している。
【００７１】
また、図示はしないが、音源ユニットＵＮＴにおける音板３０の数は、移調範囲に応じた発音音域に対応して、鍵盤アクションユニットＫＡＣＴにおける白鍵２７及び黒鍵２８の総数よりも多く設定されている。
【００７２】
かかる構成において、移調用ペダル８１が踏まれると、連結棒８２が上昇してＬ字リンク８４が同図時計方向に回動し、押圧部材８６を右方に付勢する。これにより、押圧部材８６が、上記不図示の付勢部材に抗して筬部１１５を右方にスライド移動させる。鍵盤アクションユニットＫＡＣＴも筬部１１５と共に移動することになる。音源ユニットＵＮＴは、支持部２９Ｌ、２９Ｒを介して側板１８Ｌ、１８Ｒに対して位置が固定されているので、音源ユニットＵＮＴにおける音板３０と鍵盤アクションユニットＫＡＣＴにおけるアクション機構２０との対応関係がずれ、移調と同じ効果が得られる。また、移調用ペダル８１を離すと、上記不図示の付勢部材によって、筬部１１５と共に鍵盤アクションユニットＫＡＣＴが原位置に復帰し、調も元の調に復帰する。
【００７３】
本実施の形態によれば、アコースティックな発音をする打楽器において移調を可能として、演奏形態に多様性を持たせることができる。また、鍵盤ＫＢ及びアクション機構２０が一体に移動する構成であるので、例えば、グランドピアノのシフト変更機構を応用でき、簡単な構成で移調を可能にすることができる。しかも、各音板３０と共鳴室との対応関係は固定的であるので、各音板３０の音の良好な共鳴は維持される。
【００７４】
なお、移調を可能にする観点からは、鍵盤アクションユニットＫＡＣＴと音源ユニットＵＮＴとの相対的位置を可変に構成すればよい。従って、鍵盤アクションユニットＫＡＣＴの代わりに音源ユニットＵＮＴの方をスライド可能に構成してもよい。
【００７５】
なお、押圧部材８６を駆動するための操作子は、移調用ペダル８１のような足で操作するものとしたが、それに限られず、手で操作するものであってもよい。また、本実施の形態では、移調の方向は、調を上げる方向であったが、下げる方向としてもよい。
【００７６】
（第４の実施の形態）
上記第３の実施の形態においては、移調用ペダル８１を踏んでいる間だけ移調状態となるように構成されたが、本発明の第４の実施の形態では、移調状態を維持できるように構成する。従って、移調のための機構が第３の実施の形態とは異なり、音源ユニットＵＮＴ、鍵盤アクションユニットＫＡＣＴ等の構成は第３の実施の形態と同様である。
【００７７】
図１４（ａ）は、第４の実施の形態に係る鍵盤式打楽器として構成される鍵盤楽器における移調のための機構の正面図である。同図（ａ）では、鍵盤楽器の左側部が示されている。図１４（ｂ）は、同鍵盤楽器の左側の側板の内側面図である。
【００７８】
この移調のための機構においては、連結棒８２、回動軸８３、Ｌ字リンク８４、回動軸８５、押圧部材８６、筬部１１５の構成は、第３の実施の形態のものと、形状、長さの違い以外は同様である。図１４（ａ）、（ｂ）に示すように、側板１８Ｌの内側面（右側面）には、回動軸９０を中心に回動自在にされた手で操作するためのレバー８７が設けられる。レバー８７の途中部分が、連結棒８２の下端部に、回動軸８９で回動自在に連結されている。
【００７９】
一方、側板１８Ｌの内側面（右側面）には、段差状の位置決めストッパ部８８が形成されている。ストッパ部８８は、側面視において、レバー８７の回動方向に沿った円弧状を呈し（図１４（ｂ）参照）、複数の段８８ａからなる。上下に隣接する段８８ａ間の間隔が、半音分の移調のための距離に相当するようになっている。
【００８０】
かかる構成において、レバー８７を手で把持して、レバー８７を係止する段８８ａを所望に応じて変更する。例えば、レバー８７を１つ上の段８８ａに係止させると、連結棒８２、Ｌ字リンク８４を介して押圧部材８６が右方に付勢され、筬部１１５が右方に半音分だけスライド移動する。調を下げたいときは、レバー８７を下側の段８８ａに係止させればよい。
【００８１】
本実施の形態によれば、第３の実施の形態と同様の効果を奏するだけでなく、上下いずれの方向にも移調でき、なおかつ、手を離しても、移調状態を維持することができる。
【００８２】
なお、移調のための機構としては、第３の実施の形態におけるペダルオン時のみに移調する機構と、第４の実施の形態における移調状態を維持する機構とを併せて有するように構成してもよい。
【００８３】
なお、本発明は、グロッケンシュピールにも適用可能である。
【図面の簡単な説明】
【００８４】
【図１】本発明の第１の実施の形態に係る鍵盤式打楽器として構成される鍵盤楽器の左側面図である。
【図２】同鍵盤楽器の上半部の内部構成を示す右断面図である。
【図３】同鍵盤楽器の上半部の内部構成を示す正面図である。
【図４】同鍵盤楽器の上半部の内部構成を示す平面図である。
【図５】１つの音板の平面図（図（ａ））及び同音板の右側面図（図（ｂ））である。
【図６】音源ユニットの正面図である。
【図７】図６のＡ−Ａ線に沿う断面図である。
【図８】音源ユニットの底面図である。
【図９】音板群を一括して保持するための１つの留め具の側面図（図（ａ））、同留め具の部分拡大図（図（ｂ））、高音域部に対応する音板及び留め具の側面図（図（ｃ））、中音域部に対応する音板及び留め具の側面図（図（ｄ））、並びに低音域部に対応する音板及び留め具の側面図（図（ｅ））である。
【図１０】図７に示す音源ユニットの中音域部の部分拡大図である。
【図１１】本発明の第２の実施の形態に係る鍵盤式打楽器における共鳴箱の中音域部の部分拡大図である。
【図１２】共鳴箱の変形例を示す部分断面図である。
【図１３】本発明の第３の実施の形態に係る鍵盤式打楽器として構成される鍵盤楽器の内部構成を示す正面図である。
【図１４】本発明の第４の実施の形態に係る鍵盤式打楽器として構成される鍵盤楽器における移調のための機構の正面図（図（ａ））、及び同鍵盤楽器の左側の側板の内側面図（図（ｂ））である。
【符号の説明】
【００８５】
ＫＢ  鍵盤、  ２０  アクション機構（打撃部）、  ２７  白鍵、  ２８  黒鍵、  ３０  音板（発音部材）、  ５０  共鳴箱
【図１】
0004821299.tif 000002
【図２】
0004821299.tif 000003
【図３】
0004821299.tif 000004
【図４】
0004821299.tif 000005
【図５】
0004821299.tif 000006
【図６】
0004821299.tif 000007
【図７】
0004821299.tif 000008
【図８】
0004821299.tif 000009
【図９】
0004821299.tif 000010
【図１０】
0004821299.tif 000011
【図１１】
0004821299.tif 000012
【図１２】
0004821299.tif 000013
【図１３】
0004821299.tif 000014
【図１４】
0004821299.tif 000015